【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
符号化データストリームを記憶媒体に記録する方法であって、
前記符号化データストリームの符号化フォーマットに従う追加データフィールドが存在するか又は挿入され得る前記符号化データストリーム内の位置を決定する段階、
追加データフィールドが前記決定された位置に存在する場合、前記存在する追加データフィールドを変更し、及び追加データフィールドが前記決定された位置に挿入され得る場合、追加データフィールドを前記決定された位置で前記符号化データストリームに挿入する段階、
前記変更された又は挿入された追加データフィールドの1つにファイルシステム情報を挿入する段階、及び
前記挿入されたファイルシステム情報を有する前記符号化データストリームを前記記憶媒体に記録する段階を有し、
前記符号化フォーマットは追加データフィールドの挿入位置を提供し、前記位置は前記記憶媒体に依存しない、ことを特徴とする方法。
【請求項２】
前記挿入する段階の後に、前記記録する段階で使用される記憶媒体を決定する段階、を更に有する請求項１記載の方法。
【請求項３】
前記挿入する段階の後に、前記記憶媒体に従い、前記符号化データストリームをフォーマットする段階、を更に有する請求項１記載の方法。
【請求項４】
前記記録する段階の間、前記ファイルシステム情報は不揮発性メモリに収集されることを特徴とする請求項1に記載される方法。
【請求項５】
前記符号化データストリームは前記符号化フォーマットにより定められた１又は複数のフラグメントを有し、前記符号化データストリームの特定のフラグメントの追加データフィールドに挿入されたファイルシステム情報は、
データ種類を示す識別子、
ファイル名、
記録日時、
アプリケーションの種類を示す識別子、
前記符号化データストリームにおける現行フラグメントの開始点へのポインタ、及び
前記符号化データストリームにおいて次のフラグメントが存在する場合は前記次のフラグメントへのポインタ、のうち少なくとも１つを含むことを特徴とする、請求項1に記載の方法。
【請求項６】
前記符号化データストリームは前記符号化フォーマットにより定められた１又は複数のフラグメントを有し、前記符号化データストリームの特定の部分の追加データフィールドに挿入されたファイルシステム情報は、
追加アプリケーション情報、
バージョン表示、
パス名とディレクトリセパレータ、
前記符号化データストリームにおいて前回のフラグメントが存在する場合は前記前回のフラグメントへのポインタ、
どのフラグメントが同一グループをなすかを示す2次情報の識別子、
フラグメントカウントインデックス、及び
前記符号化データストリームの最初若しくは最後の、又は両方のフラグメントを示す表示、のうち少なくとも1つを含むことを特徴とする、請求項１記載の方法。
【請求項７】
連続する追加データフィールド間に記憶されるデータの量は一定であり、前記一定データ量は前記符号化フォーマットに従う連続データブロックの最大偏差を有することを特徴とする、請求項1に記載の方法。
【請求項８】
前記記憶媒体は光学記憶媒体である、請求項１に記載の方法。
【請求項９】
記憶媒体から符号化データを読み出す方法であって、前記方法は、
ファイルシステムにより空きと示された前記記憶媒体の領域を読み出す段階、
符号化データが前記記憶媒体から読み出されたことを検出する段階、
前記符号化データ内の追加データフィールドの１つの位置を検出する段階、
前記検出した追加データフィールドからデータを抽出する段階、
前記抽出されたデータがファイルシステム情報を有すると決定する段階、及び
前記ファイルシステム情報に従い前記ファイルシステムを更新する段階、を有し、
前記記憶媒体は、追加データフィールドの挿入位置を提供する符号化フォーマットを有する前記符号化データを記憶し、及び前記位置は前記記憶媒体に依存しないことを特徴とする、方法。
【請求項１０】
前記符号化データは１又は複数のフラグメントを有し、及び前記符号化データの特定のフラグメントの検出された追加データフィールドに含まれるファイルシステム情報は、
データ種類を示す識別子、
ファイル名、
記録日時、
アプリケーションの種類を示す識別子、
前記符号化データにおける現行フラグメントの開始点へのポインタ、及び
前記符号化データにおいて次のフラグメントが存在する場合は前記次のフラグメントへのポインタ、のうち少なくとも１つを含むことを特徴とする、請求項９に記載の方法。
【請求項１１】
前記符号化データは１又は複数のフラグメントを有し、及び前記符号化データの特定の部分の検出された追加データフィールドに含まれるファイルシステム情報は、
追加アプリケーション情報、
記述子のバージョン表示、
パス名とディレクトリセパレータ、
前記符号化データにおいて前回のフラグメントが存在する場合は前記前回のフラグメントへのポインタ、
どのフラグメントが同一グループをなすかを示す2次情報の識別子、
フラグメントカウントインデックス、及び
前記符号化データストリームの最初若しくは最後の、又は両方のフラグメントを示す表示、のうち少なくとも1つを含むことを特徴とする、請求項９記載の方法。
【請求項１２】
連続する追加データフィールド間に記憶される符号化データの量は一定であり、前記一定データ量は前記符号化フォーマットに従う連続データブロックの最大偏差を有することを特徴とする請求項９に記載の方法。
【請求項１３】
符号化データストリームを記憶媒体に記録する装置であって、前記装置は、
前記符号化データストリームの符号化フォーマットに従う追加データフィールドが存在するか又は挿入され得る前記符号化データストリーム内の位置を決定する手段、
追加データフィールドが前記決定された位置に存在する場合、前記存在する追加データフィールドを変更する手段、
追加データフィールドを前記決定された位置で前記符号化データストリームに挿入する手段、
前記変更された又は挿入された追加データフィールドの1つにファイルシステム情報を挿入する手段、及び
前記挿入されたファイルシステム情報を有する前記符号化データストリームを前記記憶媒体に記録する手段を有し、
前記符号化フォーマットは追加データフィールドの挿入位置を提供し、前記位置は前記記憶媒体に依存しないことを特徴とする、装置。
【請求項１４】
前記ファイルシステム情報を挿入した後に、前記記録する手段で使用される記憶媒体を決定する手段、を更に有する請求項１３に記載される装置。
【請求項１５】
前記記憶媒体に従い前記挿入されたファイルシステム情報を有する前記符号化データストリームをフォーマットする手段、を更に有する請求項１３に記載される装置。
【請求項１６】
前記記録する手段では、前記ファイルシステム情報は不揮発性メモリに収集されることを特徴とする、請求項1３に記載される装置。
【請求項１７】
前記符号化データストリームは前記符号化フォーマットにより定められた１又は複数のフラグメントを有し、前記符号化データストリームの特定のフラグメントの追加データフィールドに挿入されたファイルシステム情報は、
データ種類を示す識別子、
ファイル名、
記録日時、
アプリケーションの種類を示す識別子、
前記符号化データストリームにおける現行フラグメントの開始点へのポインタ、及び
前記符号化データストリームにおいて次のフラグメントが存在する場合は前記次のフラグメントへのポインタ、のうち少なくとも１つを含むことを特徴とする、請求項1３に記載される装置。
【請求項１８】
前記符号化データストリームは前記符号化フォーマットにより定められた１又は複数のフラグメントを有し、前記符号化データストリームの特定の部分の追加データフィールドに挿入されたファイルシステム情報は、
追加アプリケーション情報、
バージョン表示、
パス名とディレクトリセパレータ、
前記符号化データストリームにおいて前回のフラグメントが存在する場合は前記前回のフラグメントへのポインタ、
どのフラグメントが同一グループをなすかを示す2次情報の識別子、
フラグメントカウントインデックス、及び
前記符号化データストリームの最初若しくは最後、又は両方のフラグメントを示す表示、のうち少なくとも1つを含むことを特徴とする、請求項１３に記載される装置。
【請求項１９】
連続する追加データフィールド間に記憶されるデータの量は一定であり、前記一定データ量は前記符号化フォーマットに従う連続データブロックの最大偏差を有することを特徴とする、請求項1３に記載される装置。
【請求項２０】
記憶媒体から符号化データを読み出す装置であって、前記装置は、
ファイルシステムにより空きと示された前記記憶媒体の領域を読み出す手段、
符号化データが前記記憶媒体から読み出されたことを検出する手段、
前記符号化データ内の追加データフィールドの１つの位置を検出する手段、
前記検出した追加データフィールドからデータを抽出する手段、
前記抽出されたデータがファイルシステム情報を有すると決定する手段、及び
前記ファイルシステム情報に従い前記ファイルシステムを更新する手段、を有し、
前記記憶媒体は、追加データフィールドの挿入位置を提供する符号化フォーマットを有する前記符号化データを記憶し、及び前記位置は前記記憶媒体に依存しない、装置。
【請求項２１】
前記符号化データは１又は複数のフラグメントを有し、及び前記検出された追加データフィールドに含まれるファイルシステム情報は、
データ種類を示す識別子、
ファイル名、
記録日時、
アプリケーションの種類を示す識別子、
前記符号化データにおける現行フラグメントの開始点へのポインタ、及び
前記符号化データにおいて次のフラグメントが存在する場合は前記次のフラグメントへのポインタ、のうち少なくとも１つを含むことを特徴とする、請求項２０に記載される装置。
【請求項２２】
前記符号化データは１又は複数のフラグメントを有し、及び前記検出された追加データフィールドに含まれるファイルシステム情報は、
追加アプリケーション情報、
バージョン表示、
パス名とディレクトリセパレータ、
前記符号化データにおいて前回のフラグメントが存在する場合は前記前回のフラグメントへのポインタ、
どのフラグメントが同一グループをなすかを示す2次情報の識別子、
フラグメントカウントインデックス、及び
前記符号化データの最初若しくは最後の、又は両方のフラグメントを示す表示、のうち少なくとも1つを含むことを特徴とする、請求項２０に記載される装置。
【請求項２３】
連続する追加データフィールド間に記憶される符号化データの量は一定であり、前記一定データ量は前記符号化フォーマットに従う連続データブロックの最大偏差を有することを特徴とする、請求項２０に記載される装置。
【請求項２４】
前記ファイルシステム情報にマーカービットを挿入して禁止されるコードワードの記述を回避することを特徴とする請求項1若しくは９に記載される方法、又は請求項１３若しくは２０に記載される装置。
【請求項２５】
前記データストリーム又は前記符号化データはＭＰＥＧ−２、ＭＰＥＧ−４、ＷＭＶ−９及びＡＶＩ標準の少なくとも１つに準拠し、前記追加データフィールドは「user_data(  )」フィールドに対応することを特徴とする請求項1若しくは９に記載される方法、又は請求項１３若しくは２０に記載される装置。